(57)【要約】【課題】加湿運転を制御して快適性の向上を図る。【解決手段】室内温度情報及び室内湿度情報と室外温度情報及び室外湿度情報と天気情報とを取り込む情報入手部（２２０）を備えている。情報入手部（２２０）が取り込んだ情報に対応して加湿運転の運転スケジュールを決定し、運転スケジュールに従って加湿運転を制御する運転制御部（２１０）を備えている。加湿運転は、室外空気の水分を吸着素子に吸着させ室外空気を減湿して室外に排気する一方、室内空気で吸着素子を再生し室内空気を加湿して室内に供給する循環加湿運転と、室内空気の水分を吸着素子に吸着させ室内空気を減湿して室外に排気する一方、室外空気で吸着素子を再生し室外空気を加湿して室内に供給する換気加湿運転とで構成されている。運転制御手段（２１０）は、室内の稼働前から運転スケジュールに従って換気加湿運転と循環加湿運転とを切り換えて制御する。【選択図】　図１
2004011926.tif 000002
【特許請求の範囲】
【請求項１】
対象空間を加湿するための加湿運転を行う調湿装置であって、
上記対象空間に関する環境条件の情報を取り込む情報入手手段（２２０）と、
該情報入手手段（２２０）が取り込んだ環境条件の情報に対応して加湿運転の運転スケジュールを決定し、該運転スケジュールに従って加湿運転を制御する運転制御手段（２１０）とを備えている
ことを特徴とする調湿装置。
【請求項２】
請求項１において、
上記加湿運転は、対象空間内の内部空気の水分を吸着素子（８１，８２）に吸着させ該内部空気を減湿して対象空間外に排気する一方、対象空間外の外部空気で吸着素子（８１，８２）を再生し該外部空気を加湿して対象空間に供給する換気加湿運転で構成され、
上記運転制御手段（２１０）は、対象空間の稼働前から運転スケジュールに従って上記換気加湿運転を制御するように構成されている
ことを特徴とする調湿装置。
【請求項３】
請求項１において、
上記加湿運転は、対象空間外の外部空気の水分を吸着素子（８１，８２）に吸着させ該外部空気を減湿して対象空間外に排気する一方、対象空間内の内部空気で吸着素子（８１，８２）を再生し該内部空気を加湿して対象空間に供給する循環加湿運転で構成され、
上記運転制御手段（２１０）は、対象空間の稼働前から運転スケジュールに従って上記循環加湿運転を制御するように構成されている
ことを特徴とする調湿装置。
【請求項４】
請求項１において、
上記加湿運転は、対象空間外の外部空気の水分を吸着素子（８１，８２）に吸着させ該外部空気を減湿して対象空間外に排気する一方、対象空間内の内部空気で吸着素子（８１，８２）を再生し該内部空気を加湿して対象空間に供給する循環加湿運転と、対象空間内の内部空気の水分を吸着素子（８１，８２）に吸着させ該内部空気を減湿して対象空間外に排気する一方、対象空間外の外部空気で吸着素子（８１，８２）を再生し該外部空気を加湿して対象空間に供給する換気加湿運転とで構成され、
上記運転制御手段（２１０）は、対象空間の稼働前から運転スケジュールに従って上記換気加湿運転と循環加湿運転とを切り換えて制御するように構成されている
ことを特徴とする調湿装置。
【請求項５】
請求項２において、
上記運転制御手段（２１０）は、情報入手手段（２２０）の情報に対応して内部空気の排気量が外部空気の導入量より多い運転スケジュールを決定するように構成されている
ことを特徴とする調湿装置。
【請求項６】
請求項３において、
上記運転制御手段（２１０）は、情報入手手段（２２０）の情報に対応して外部空気の循環量が内部空気の循環量より多い運転スケジュールを決定するように構成されている
ことを特徴とする調湿装置。
【請求項７】
請求項４において、
上記運転制御手段（２１０）は、予め定められた対象空間の稼働直前の運転状態が換気加湿運転になるように切換える自動モード運転を行うように構成されている
ことを特徴とする調湿装置。
【請求項８】
請求項１〜７の何れか１項において、
上記情報入手手段（２２０）は、対象空間外の温度情報及び湿度情報と、対象空間内の温度情報及び湿度情報と、天気情報とを入手するように構成される一方、
上記運転制御手段（２１０）は、情報入手手段（２２０）の各温度情報と各湿度情報と天気情報とを基に運転スケジュールを決定するように構成されている
ことを特徴とする調湿装置。
【請求項９】
請求項８において、
上記運転制御手段（２１０）は、情報入手手段（２２０）の各温度情報と各湿度情報の変化に基づいて運転スケジュールを変更する更新手段（２１３）を備えている
ことを特徴とする調湿装置。
【請求項１０】
請求項４において、
上記情報入手手段（２２０）は、対象空間内の二酸化炭素濃度のＣＯ２情報を入手するように構成される一方、
上記運転制御手段（２１０）は、情報入手手段（２２０）のＣＯ２情報に基づいて対象空間の稼働後の定常運転状態を換気加湿運転及び循環加湿運転の何れかに切換える切換手段（２１４）を備えている
ことを特徴とする調湿装置。
【請求項１１】
請求項４において、
上記情報入手手段（２２０）は、花粉情報を入手するように構成される一方、
上記運転制御手段（２１０）は、情報入手手段（２２０）の花粉情報に基づいて対象空間の稼働後の定常運転状態を換気加湿運転及び循環加湿運転の何れかに切換えるか、又は上記定常運転状態の風量を切換える切換手段（２１４）を備えていることを特徴とする調湿装置。
【請求項１２】
請求項４において、
上記情報入手手段（２２０）は、消費電力情報を入手するように構成される一方、
上記運転制御手段（２１０）は、情報入手手段（２２０）の消費電力情報に基づいて対象空間の稼働後の定常運転状態を換気加湿運転及び循環加湿運転の何れかに切換えるか、又は上記定常運転状態の風量を切換える切換手段（２１４）を備えている
ことを特徴とする調湿装置。
【発明の詳細な説明】
【０００１】
【発明の属する技術分野】
本発明は、調湿装置に関し、特に、加湿運転の制御に係るものである。
【０００２】
【従来の技術】
従来より、特開２００２−１８２３０号公報に開示されているように、調湿装置には、吸着剤が塗布された吸着素子を備え、無給水加湿を行うようにしたものがある。上記調湿装置は、吸着素子で室内空気から水分を吸着して該室内空気を室外に排気する一方、この水分を吸着した吸着素子を室外空気で再生して該室外空気を加湿し、この加湿された室外空気を室内に供給し、室内を加湿するようにしている。
【０００３】
【発明が解決しようとする課題】
上述した調湿装置において、加湿運転の制御については何ら考慮されていなかった。したがって、従来、室内の居住者が加湿を望む際に単に加湿運転を行うことになる。しかしながら、これでは、室内が所定の加湿状態になるまでに相当な時間を要することになり、室内環境の快適性の向上がさほど望めないという問題があった。
【０００４】
本発明は、斯かる点に鑑みて成されたもので、加湿運転を制御して快適性の向上を図ることを目的とするものである。
【０００５】
【課題を解決するための手段】
〈発明の概要〉
本発明は、加湿運転を運転スケジュールに従って制御するようにしたものである。
【０００６】
〈解決手段〉
具体的に、図１に示すように、請求項１に係る発明は、対象空間を加湿するための加湿運転を行う調湿装置であって、上記対象空間に関する環境条件の情報を取り込む情報入手手段（２２０）と、該情報入手手段（２２０）が取り込んだ環境条件の情報に対応して加湿運転の運転スケジュールを決定し、該運転スケジュールに従って加湿運転を制御する運転制御手段（２１０）とを備えた構成としている。
【０００７】
また、請求項２に係る発明は、請求項１において、上記加湿運転が、対象空間内の内部空気の水分を吸着素子（８１，８２）に吸着させ該内部空気を減湿して対象空間外に排気する一方、対象空間外の外部空気で吸着素子（８１，８２）を再生し該外部空気を加湿して対象空間に供給する換気加湿運転で構成されている。そして、上記運転制御手段（２１０）は、対象空間の稼働前から運転スケジュールに従って上記換気加湿運転を制御するように構成されている。
【０００８】
また、請求項３に係る発明は、請求項１において、上記加湿運転が、対象空間外の外部空気の水分を吸着素子（８１，８２）に吸着させ該外部空気を減湿して対象空間外に排気する一方、対象空間内の内部空気で吸着素子（８１，８２）を再生し該内部空気を加湿して対象空間に供給する循環加湿運転で構成されている。そして、上記運転制御手段（２１０）は、対象空間の稼働前から運転スケジュールに従って上記循環加湿運転を制御するように構成されている。
【０００９】
また、請求項４に係る発明は、請求項１において、上記加湿運転が、対象空間外の外部空気の水分を吸着素子（８１，８２）に吸着させ該外部空気を減湿して対象空間外に排気する一方、対象空間内の内部空気で吸着素子（８１，８２）を再生し該内部空気を加湿して対象空間に供給する循環加湿運転と、対象空間内の内部空気の水分を吸着素子（８１，８２）に吸着させ該内部空気を減湿して対象空間外に排気する一方、対象空間外の外部空気で吸着素子（８１，８２）を再生し該外部空気を加湿して対象空間に供給する換気加湿運転とで構成されている。そして、上記運転制御手段（２１０）は、対象空間の稼働前から運転スケジュールに従って上記換気加湿運転と循環加湿運転とを切り換えて制御するように構成されている。
【００１０】
また、請求項５に係る発明は、請求項２において、上記運転制御手段（２１０）は、情報入手手段（２２０）の情報に対応して内部空気の排気量が外部空気の導入量より多い運転スケジュールを決定するように構成されている。
【００１１】
また、請求項６に係る発明は、請求項３において、上記運転制御手段（２１０）は、情報入手手段（２２０）の情報に対応して外部空気の循環量が内部空気の循環量より多い運転スケジュールを決定するように構成されている。
【００１２】
また、請求項７に係る発明は、請求項４において、上記運転制御手段（２１０）は、予め定められた対象空間の稼働直前の運転状態が換気加湿運転になるように切換える自動モード運転を行うように構成されている。
【００１３】
また、請求項８に係る発明は、請求項１〜７の何れか１項において、上記情報入手手段（２２０）が、対象空間外の温度情報及び湿度情報と、対象空間内の温度情報及び湿度情報と、天気情報とを入手するように構成される一方、上記運転制御手段（２１０）が、情報入手手段（２２０）の各温度情報と各湿度情報と天気情報とを基に運転スケジュールを決定するように構成されている。
【００１４】
また、請求項９に係る発明は、図１３に示すように、請求項８において、上記運転制御手段（２１０）が、情報入手手段（２２０）の各温度情報と各湿度情報の変化に基づいて運転スケジュールを変更する更新手段（２１３）を備えている。
【００１５】
また、請求項１０に係る発明は、図１５に示すように、請求項４において、上記情報入手手段（２２０）が、対象空間内の二酸化炭素濃度のＣＯ２情報を入手するように構成される一方、上記運転制御手段（２１０）が、情報入手手段（２２０）のＣＯ２情報に基づいて対象空間の稼働後の定常運転状態を換気加湿運転及び循環加湿運転の何れかに切換える切換手段（２１４）を備えている。
【００１６】
また、請求項１１に係る発明は、図１４に示すように、請求項４において、上記情報入手手段（２２０）が、花粉情報を入手するように構成される一方、上記運転制御手段（２１０）は、情報入手手段（２２０）の花粉情報に基づいて対象空間の稼働後の定常運転状態を換気加湿運転及び循環加湿運転の何れかに切換えるか、又は上記定常運転状態の風量を切換える切換手段（２１４）を備えている。
【００１７】
また、請求項１２に係る発明は、図１５に示すように、請求項４において、上記情報入手手段（２２０）が、消費電力情報を入手するように構成される一方、上記運転制御手段（２１０）は、情報入手手段（２２０）の消費電力情報に基づいて対象空間の稼働後の定常運転状態を換気加湿運転及び循環加湿運転の何れかに切換えるか、又は上記定常運転状態の風量を切換える切換手段（２１４）を備えている。
【００１８】
すなわち、本発明では、事務所など対象空間において、一日の作業を終了すると、ユーザによって調湿運転が停止される。その後、情報入手手段（２２０）が対象空間に関する環境条件の情報を取り込み、該情報入手手段（２２０）が取り込んだ環境条件の情報に対応して運転制御手段（２１０）が加湿運転の運転スケジュールを決定し、該運転スケジュールに従って加湿運転を制御する。
【００１９】
例えば、請求項８に係る発明では、情報入手手段（２２０）が対象空間内の温度及び湿度を検出して温度情報及び湿度情報を出力すると共に、対象空間外の温度及び湿度を検出して温度情報及び湿度情報を出力する。更に、天気情報手段は、インターネットなどの通信網から天気予報の情報を取り込み、天気情報を出力する。
【００２０】
続いて、運転制御手段（２１０）において、情報入手手段（２２０）の各温度情報及び各湿度情報と天気情報とを取り込み、加湿運転モードを決定し、この決定した運転スケジュールに従って加湿運転を行う。
【００２１】
そして、請求項２に係る発明では換気加湿運転を行い、請求項３に係る発明では循環加湿運転を行い、請求項４に係る発明では換気加湿運転と循環加湿運転を切り換えて行う。
【００２２】
また、請求項５に係る発明では、換気加湿運転時において、内部空気の排気量を外部空気の導入量より大きくする。
【００２３】
また、請求項６に係る発明では、循環加湿運転時において、外部空気の循環量を内部空気の循環量より大きくする。
【００２４】
また、請求項７に係る発明では、予め定められた室内の稼働直前になると、自動モード運転を行い、循環加湿運転を行っている場合、室内の稼働直前に換気加湿運転に切換える。
【００２５】
また、請求項９に係る発明では、更新手段（２１３）が運転スケジュールを変更し、例えば、現在の天気が晴れの状態から雨模様に変化した場合、外部空気から取り込むことができる水分が多くなるので、加湿運転時間などを変更して新たな運転スケジュールに変更する。
【００２６】
また、請求項１０に係る発明では、ＣＯ２情報を入手し、ＣＯ２が多くなると、例えば、現在が循環加湿運転を行っている場合、換気加湿運転に切換えたり、排気量を多くし且つ給気量を多くする。
【００２７】
また、請求項１１に係る発明では、花粉情報を入手し、花粉量が多くなると、現在が換気加湿運転を行っている場合、循環加湿運転に切換えるか、又は換気加湿運転のまま、排気量を少なくし且つ給気量を少なくする。
【００２８】
また、請求項１２に係る発明では、消費電力情報を入手し、例えば、消費電力が上昇し、この消費電力を抑制する必要があると、電力消費が小さい運転に切換える。
【００２９】
【発明の実施の形態１】
以下、本発明の実施形態１を図面に基づいて詳細に説明する。尚、以下の説明において、「上」　「下」　「左」　「右」　「前」　「後」　「手前」　「奥」は、何れも参照する図面におけるものを意味している。
【００３０】
本実施形態に係る調湿装置は、減湿された空気が室内へ供給される除湿運転と、加湿された空気が室内へ供給される加湿運転とを切り換えて行うように構成されている。また、この調湿装置は、冷媒回路（１００）と２つの吸着素子（８１，８２）とを備え、いわゆるバッチ式の動作を行うように構成されている。ここでは、本実施形態に係る調湿装置の構成について、図２、図６、図１１及び図１２を参照しながら説明する。
【００３１】
〈調湿装置の構造〉
図２及び図６に示すように、上記調湿装置は、やや扁平な直方体状のケーシング（１０）を備えている。このケーシング（１０）には、２つの吸着素子（８１，８２）と、冷媒回路（１００）とが収納されている。冷媒回路（１００）には、再生熱交換器（１０２）、第１熱交換器（１０３）及び第２熱交換器（１０４）が設けられている。尚、冷媒回路（１００）の詳細については後述する。
【００３２】
上記吸着素子（８１，８２）は、図１１に示すように、平板状の平板部材（８３）と波形状の波板部材（８４）とを交互に積層して構成されている。平板部材（８３）は、長辺の長さＬ１が短辺の長さＬ２の２．５倍となる長方形状に形成されている。つまり、この平板部材（８３）では、Ｌ１／Ｌ２＝２．５となっている。尚、ここに示した数値は例示である。波板部材（８４）は、隣接する波板部材（８４）の稜線方向が互いに９０°ずれる姿勢で積層されている。そして、吸着素子（８１，８２）は、全体として直方体状ないし四角柱状に形成されている。
【００３３】
上記吸着素子（８１，８２）には、平板部材（８３）及び波板部材（８４）の積層方向において、調湿側通路（８５）と冷却側通路（８６）とが平板部材（８３）を挟んで交互に区画形成されている。この吸着素子（８１，８２）において、平板部材（８３）の長辺側の側面に調湿側通路（８５）が開口し、平板部材（８３）の短辺側の側面に冷却側通路（８６）が開口している。また、この吸着素子（８１，８２）において、同図の手前側と奥側の端面は、調湿側通路（８５）と冷却側通路（８６）の何れも開口しない閉塞面を構成している。
【００３４】
上記吸着素子（８１，８２）において、調湿側通路（８５）に臨む平板部材（８３）の表面や、調湿側通路（８５）に設けられた波板部材（８４）の表面には、水蒸気を吸着するための吸着剤が塗布されている。この種の吸着剤としては、例えばシリカゲル、ゼオライト、イオン交換樹脂等が挙げられる。
【００３５】
図２に示すように、上記ケーシング（１０）において、最も手前側には室外側パネル（１１）が設けられ、最も奥側には室内側パネル（１２）が設けられている。室外側パネル（１１）には、その左端寄りに室外側吸込口（１３）が形成され、その右端寄りに室外側吹出口（１６）が形成されている。一方、室内側パネル（１２）には、その左端寄りに室内側吹出口（１４）が形成され、その右端寄りに室内側吸込口（１５）が形成されている。
【００３６】
ケーシング（１０）の内部には、手前側から奥側へ向かって順に、第１仕切板（２０）と、第２仕切板（３０）とが設けられている。ケーシング（１０）の内部空間は、これら第１，第２仕切板（２０，３０）によって、前後に仕切られている。
【００３７】
室外側パネル（１１）と第１仕切板（２０）の間の空間は、上側の室外側上部流路（４１）と下側の室外側下部流路（４２）とに区画されている。室外側上部流路（４１）は、室外側吹出口（１６）によって室外空間と連通されている。室外側下部流路（４２）は、室外側吸込口（１３）によって室外空間と連通されている。
【００３８】
室外側パネル（１１）と第１仕切板（２０）の間の空間には、その右端寄りに排気ファン（９６）が設置されている。また、室外側上部流路（４１）には、第２熱交換器（１０４）が設置されている。第２熱交換器（１０４）は、いわゆるクロスフィン型のフィン・アンド・チューブ熱交換器であって、排気ファン（９６）へ向けて室外側上部流路（４１）を流れる空気と冷媒回路（１００）の冷媒とを熱交換させるように構成されている。つまり、第２熱交換器（１０４）は、室外へ排出される空気と冷媒とを熱交換させるためのものであり、排気側熱交換器を構成している。
【００３９】
第１仕切板（２０）には、第１右側開口（２１）、第１左側開口（２２）、第１右上開口（２３）、第１右下開口（２４）、第１左上開口（２５）及び第１左下開口（２６）が形成されている。これらの開口（２１，２２，…）は、それぞれが開閉シャッタを備えて開閉自在に構成されている。
【００４０】
第１右側開口（２１）及び第１左側開口（２２）は、縦長の長方形状の開口である。第１右側開口（２１）は、第１仕切板（２０）の右端近傍に設けられている。第１左側開口（２２）は、第１仕切板（２０）の左端近傍に設けられている。第１右上開口（２３）、第１右下開口（２４）、第１左上開口（２５）及び第１左下開口（２６）は、横長の長方形状の開口である。第１右上開口（２３）は、第１仕切板（２０）の上部における第１右側開口（２１）の左隣に設けられている。第１右下開口（２４）は、第１仕切板（２０）の下部における第１右側開口（２１）の左隣に設けられている。第１左上開口（２５）は、第１仕切板（２０）の上部における第１左側開口（２２）の右隣に設けられている。第１左下開口（２６）は、第１仕切板（２０）の下部における第１左側開口（２２）の右隣に設けられている。
【００４１】
第１仕切板（２０）と第２仕切板（３０）の間には、２つの吸着素子（８１，８２）が設置されている。これら吸着素子（８１，８２）は、所定の間隔をおいて左右に並んだ状態に配置されている。具体的には、右寄りに第１吸着素子（８１）が設けられ、左寄りに第２吸着素子（８２）が設けられている。
【００４２】
第１，第２吸着素子（８１，８２）は、それぞれにおける平板部材（８３）及び波板部材（８４）の積層方向がケーシング（１０）の長手方向（図２における手前から奥へ向かう方向）と一致すると共に、それぞれにおける平板部材（８３）等の積層方向が互いに平行となる姿勢で設置されている。更に、各吸着素子（８１，８２）は、左右の側面がケーシング（１０）の側板と、上下面がケーシング（１０）の天板や底板と、前後の端面が室外側パネル（１１）や室内側パネル（１２）とそれぞれ略平行になる姿勢で配置されている。
【００４３】
また、ケーシング（１０）内に設置された各吸着素子（８１，８２）では、その左右の側面に冷却側通路（８６）が開口している。つまり、第１吸着素子（８１）において冷却側通路（８６）の開口する１つの側面と、第２吸着素子（８２）において冷却側通路（８６）の開口する１つの側面とは、互いに向かい合っている。
【００４４】
第１仕切板（２０）と第２仕切板（３０）の間の空間は、右側流路（５１）、左側流路（５２）、右上流路（５３）、右下流路（５４）、左上流路（５５）、左下流路（５６）及び中央流路（５７）に区画されている。
【００４５】
右側流路（５１）は、第１吸着素子（８１）の右側に形成され、第１吸着素子（８１）の冷却側通路（８６）に連通している。左側流路（５２）は、第２吸着素子（８２）の左側に形成され、第２吸着素子（８２）の冷却側通路（８６）に連通している。
【００４６】
右上流路（５３）は、第１吸着素子（８１）の上側に形成され、第１吸着素子（８１）の調湿側通路（８５）に連通している。右下流路（５４）は、第１吸着素子（８１）の下側に形成され、第１吸着素子（８１）の調湿側通路（８５）に連通している。左上流路（５５）は、第２吸着素子（８２）の上側に形成され、第２吸着素子（８２）の調湿側通路（８５）に連通している。左下流路（５６）は、第２吸着素子（８２）の下側に形成され、第２吸着素子（８２）の調湿側通路（８５）に連通している。
【００４７】
中央流路（５７）は、第１吸着素子（８１）と第２吸着素子（８２）の間に形成され、両吸着素子（８１，８２）の冷却側通路（８６）に連通している。この中央流路（５７）は、図２及び図６に現れる流路断面の形状が八角形状となっている。
【００４８】
再生熱交換器（１０２）は、いわゆるクロスフィン型のフィン・アンド・チューブ熱交換器であって、中央流路（５７）を流れる空気と冷媒回路（１００）の冷媒とを熱交換させるように構成されている。この再生熱交換器（１０２）は、中央流路（５７）に配置されている。つまり、再生熱交換器（１０２）は、左右に並んだ第１吸着素子（８１）と第２吸着素子（８２）の間に設置されている。更に、再生熱交換器（１０２）は、ほぼ垂直に立てられた状態で、中央流路（５７）を左右に仕切るように設けられている。
【００４９】
第１吸着素子（８１）と再生熱交換器（１０２）の間には、右側シャッタ（６１）が設けられている。この右側シャッタ（６１）は、中央流路（５７）における再生熱交換器（１０２）の右側部分と右下流路（５４）との間を仕切るものであって、開閉自在に構成されている。一方、第２吸着素子（８２）と再生熱交換器（１０２）の間には、左側シャッタ（６２）が設けられている。この左側シャッタ（６２）は、中央流路（５７）における再生熱交換器（１０２）の左側部分と左下流路（５６）との間を仕切るものであって、開閉自在に構成されている。
【００５０】
室外側パネル（１１）と第１仕切板（２０）の間の流路（４１，４２）と、第１仕切板（２０）と第２仕切板（３０）の間の流路（５１，５２，…）とは、第１仕切板（２０）の開口（２１，２２，…）に設けられた開閉シャッタによって、連通状態と遮断状態に切り換えられる。具体的に、第１右側開口（２１）を開口状態とすると、右側流路（５１）と室外側下部流路（４２）が連通する。第１左側開口（２２）を開口状態とすると、左側流路（５２）と室外側下部流路（４２）が連通する。第１右上開口（２３）を開口状態とすると、右上流路（５３）と室外側上部流路（４１）が連通する。第１右下開口（２４）を開口状態とすると、右下流路（５４）と室外側下部流路（４２）が連通する。第１左上開口（２５）を開口状態とすると、左上流路（５５）と室外側上部流路（４１）が連通する。第１左下開口（２６）を開口状態とすると、左下流路（５６）と室外側下部流路（４２）が連通する。
【００５１】
第２仕切板（３０）には、第２右側開口（３１）、第２左側開口（３２）、第２右上開口（３３）、第２右下開口（３４）、第２左上開口（３５）及び第２左下開口（３６）が形成されている。これらの開口（３１，３２，…）は、それぞれが開閉シャッタを備えて開閉自在に構成されている。
【００５２】
第２右側開口（３１）及び第２左側開口（３２）は、縦長の長方形状の開口である。第２右側開口（３１）は、第２仕切板（３０）の右端近傍に設けられている。第２左側開口（３２）は、第２仕切板（３０）の左端近傍に設けられている。第２右上開口（３３）、第２右下開口（３４）、第２左上開口（３５）及び第２左下開口（３６）は、横長の長方形状の開口である。第２右上開口（３３）は、第２仕切板（３０）の上部における第２右側開口（３１）の左隣に設けられている。第２右下開口（３４）は、第２仕切板（３０）の下部における第２右側開口（３１）の左隣に設けられている。第２左上開口（３５）は、第２仕切板（３０）の上部における第２左側開口（３２）の右隣に設けられている。第２左下開口（３６）は、第２仕切板（３０）の下部における第２左側開口（３２）の右隣に設けられている。
【００５３】
室内側パネル（１２）と第２仕切板（３０）の間の空間は、上側の室内側上部流路（４６）と下側の室内側下部流路（４７）とに区画されている。室内側上部流路（４６）は、室内側吹出口（１４）によって室内空間と連通されている。室内側下部流路（４７）は、室内側吸込口（１５）によって室内空間と連通されている。
【００５４】
室内側パネル（１２）と第２仕切板（３０）の間の空間には、その左端寄りに給気ファン（９５）が設置されている。また、室内側上部流路（４６）には、第１熱交換器（１０３）が設置されている。第１熱交換器（１０３）は、いわゆるクロスフィン型のフィン・アンド・チューブ熱交換器であって、給気ファン（９５）へ向けて室内側上部流路（４６）を流れる空気と冷媒回路（１００）の冷媒とを熱交換させるように構成されている。つまり、第１熱交換器（１０３）は、室内へ供給される空気と冷媒とを熱交換させるためのものである。
【００５５】
上記第１仕切板（２０）と第２仕切板（３０）の間の流路と、第２仕切板（３０）と室外側パネル（１１）の間の流路とは、第２仕切板（３０）の開口に設けられた開閉シャッタによって、連通状態と遮断状態に切り換えられる。具体的に、第２右側開口（３１）を開口状態とすると、右側流路（５１）と室内側下部流路（４７）が連通する。第２左側開口（３２）を開口状態とすると、左側流路（５２）と室内側下部流路（４７）が連通する。第２右上開口（３３）を開口状態とすると、右上流路（５３）と室内側上部流路（４６）が連通する。第２右下開口（３４）を開口状態とすると、右下流路（５４）と室内側下部流路（４７）が連通する。第２左上開口（３５）を開口状態とすると、左上流路（５５）と室内側上部流路（４６）が連通する。第２左下開口（３６）を開口状態とすると、左下流路（５６）と室内側下部流路（４７）が連通する。
【００５６】
〈冷媒回路構成〉
図１２に示すように、上記冷媒回路（１００）は、冷媒の充填された閉回路である。冷媒回路（１００）には、圧縮機（１０１）、再生熱交換器（１０２）、第１熱交換器（１０３）、第２熱交換器（１０４）、レシーバ（１０５）、四方切換弁（１２０）及び電動膨張弁（１１０）が設けられている。この冷媒回路（１００）では、冷媒を循環させることで蒸気圧縮式の冷凍サイクルが行われる。
【００５７】
冷媒回路（１００）において、圧縮機（１０１）の吐出側は、再生熱交換器（１０２）の一端に接続されている。再生熱交換器（１０２）の他端は、レシーバ（１０５）を介して電動膨張弁（１１０）の一端に接続されている。電動膨張弁（１１０）の他端は、四方切換弁（１２０）の第１ポート（１２１）に接続されている。この四方切換弁（１２０）は、その第２ポート（１２２）が第２熱交換器（１０４）の一端に接続され、その第４ポート（１２４）が第１熱交換器（１０３）の一端に接続されている。また、四方切換弁（１２０）の第３ポート（１２３）は、封止されている。第１熱交換器（１０３）の他端と第２熱交換器（１０４）の他端とは、それぞれが圧縮機（１０１）の吸入側に接続されている。
【００５８】
上記四方切換弁（１２０）は、第１ポート（１２１）と第２ポート（１２２）が互いに連通して第３ポート（１２３）と第４ポート（１２４）が互いに連通する状態と、第１ポート（１２１）と第４ポート（１２４）が互いに連通して第２ポート（１２２）と第３ポート（１２３）が互いに連通する状態とに切り換わる。上述のように、この四方切換弁（１２０）の第３ポート（１２３）は、閉塞されている。つまり、本実施形態の冷媒回路（１００）では、四方切換弁（１２０）が三方弁として用いられている。従って、この冷媒回路（１００）では、四方切換弁（１２０）に代えて三方弁を用いてもよい。
【００５９】
〈調湿動作〉
そこで、先ず、上記調湿装置の調湿動作を説明する。この調湿装置は、換気除湿運転と換気加湿運転と循環除湿運転と循環加湿運転とを切り換えて行う。また、この調湿装置は、第１動作と第２動作とを交互に繰り返すことによって換気除湿運転と換気加湿運転と循環除湿運転と循環加湿運転とを行う。
【００６０】
−換気除湿運転−
図２及び図３に示すように、換気除湿運転時において、給気ファン（９５）を駆動すると、室外空気が室外側吸込口（１３）を通じてケーシング（１０）内に取り込まれる。この室外空気は、第１空気として室外側下部流路（４２）へ流入する。一方、排気ファン（９６）を駆動すると、室内空気が室内側吸込口（１５）を通じてケーシング（１０）内に取り込まれる。この室内空気は、第２空気として室内側下部流路（４７）へ流入する。
【００６１】
また、換気除湿運転時において、冷媒回路（１００）では、再生熱交換器（１０２）が凝縮器となり、第１熱交換器（１０３）が蒸発器となる一方、第２熱交換器（１０４）が休止している。この冷媒回路（１００）の動作については後述する。
【００６２】
換気除湿運転の第１動作について、図２及び図６を参照しながら説明する。この第１動作では、第１吸着素子（８１）についての吸着動作と、第２吸着素子（８２）についての再生動作とが行われる。つまり、第１動作では、第１吸着素子（８１）で空気が減湿されると同時に、第２吸着素子（８２）の吸着剤が再生される。
【００６３】
図２に示すように、第１仕切板（２０）では、第１右下開口（２４）と第１左上開口（２５）とが連通状態となり、残りの開口（２１，２２，２３，２６）が遮断状態となっている。この状態では、第１右下開口（２４）によって室外側下部流路（４２）と右下流路（５４）とが連通され、第１左上開口（２５）によって左上流路（５５）と室外側上部流路（４１）とが連通される。
【００６４】
第２仕切板（３０）では、第２右側開口（３１）と第２右上開口（３３）とが連通状態となり、残りの開口（３２，３４，３５，３６）が遮断状態となっている。この状態では、第２右側開口（３１）によって室内側下部流路（４７）と右側流路（５１）とが連通され、第２右上開口（３３）によって右上流路（５３）と室内側上部流路（４６）とが連通される。
【００６５】
右側シャッタ（６１）は閉鎖状態となり、左側シャッタ（６２）は開口状態となっている。この状態では、中央流路（５７）における再生熱交換器（１０２）の左側部分と左下流路（５６）とが、左側シャッタ（６２）を介して連通される。
【００６６】
ケーシング（１０）に取り込まれた第１空気は、室外側下部流路（４２）から第１右下開口（２４）を通って右下流路（５４）へ流入する。一方、ケーシング（１０）に取り込まれた第２空気は、室内側下部流路（４７）から第２右側開口（３１）を通って右側流路（５１）へ流入する。
【００６７】
図６（ａ）にも示すように、右下流路（５４）の第１空気は、第１吸着素子（８１）の調湿側通路（８５）へ流入する。この調湿側通路（８５）を流れる間に、第１空気に含まれる水蒸気が吸着剤に吸着される。第１吸着素子（８１）で減湿された第１空気は、右上流路（５３）へ流入する。
【００６８】
一方、右側流路（５１）の第２空気は、第１吸着素子（８１）の冷却側通路（８６）へ流入する。この冷却側通路（８６）を流れる間に、第２空気は、調湿側通路（８５）で水蒸気が吸着剤に吸着される際に生じた吸着熱を吸熱する。つまり、第２空気は、冷却用流体として冷却側通路（８６）を流れる。吸着熱を奪った第２空気は、中央流路（５７）へ流入して再生熱交換器（１０２）を通過する。その際、再生熱交換器（１０２）では、第２空気が冷媒との熱交換によって加熱される。その後、第２空気は、中央流路（５７）から左下流路（５６）へ流入する。
【００６９】
第１吸着素子（８１）及び再生熱交換器（１０２）で加熱された第２空気は、第２吸着素子（８２）の調湿側通路（８５）へ導入される。この調湿側通路（８５）では、第２空気によって吸着剤が加熱され、吸着剤から水蒸気が脱離する。つまり、第２吸着素子（８２）の再生が行われる。吸着剤から脱離した水蒸気は、第２空気と共に左上流路（５５）へ流入する。
【００７０】
図２に示すように、右上流路（５３）へ流入した減湿後の第１空気は、第２右上開口（３３）を通って室内側上部流路（４６）へ送り込まれる。この第１空気は、室内側上部流路（４６）を流れる間に第１熱交換器（１０３）を通過し、冷媒との熱交換によって冷却される。その後、減湿されて冷却された第１空気は、室内側吹出口（１４）を通って室内へ供給される。
【００７１】
一方、左上流路（５５）へ流入した第２空気は、第１左上開口（２５）を通って室外側上部流路（４１）へ流入する。この第２空気は、室外側上部流路（４１）を流れる間に第２熱交換器（１０４）を通過する。その際、第２熱交換器（１０４）は休止しており、第２空気は加熱も冷却もされない。そして、第１吸着素子（８１）の冷却と第２吸着素子（８２）の再生に利用された第２空気は、室外側吹出口（１６）を通って室外へ排出される。
【００７２】
換気除湿運転の第２動作について、図３及び図６を参照しながら説明する。この第２動作では、第１動作時とは逆に、第２吸着素子（８２）についての吸着動作と、第１吸着素子（８１）についての再生動作とが行われる。つまり、第２動作では、第２吸着素子（８２）で空気が減湿されると同時に、第１吸着素子（８１）の吸着剤が再生される。
【００７３】
図３に示すように、第１仕切板（２０）では、第１右上開口（２３）と第１左下開口（２６）とが連通状態となり、残りの開口（２１，２２，２４，２５）が遮断状態となっている。この状態では、第１右上開口（２３）によって右上流路（５３）と室外側上部流路（４１）とが連通され、第１左下開口（２６）によって室外側下部流路（４２）と左下流路（５６）とが連通される。
【００７４】
第２仕切板（３０）では、第２左側開口（３２）と第２左上開口（３５）とが連通状態となり、残りの開口（３１，３３，３４，３６）が遮断状態となっている。この状態では、第２左側開口（３２）によって室内側下部流路（４７）と左側流路（５２）とが連通され、第２左上開口（３５）によって左上流路（５５）と室内側上部流路（４６）とが連通される。
【００７５】
左側シャッタ（６２）は閉鎖状態となり、右側シャッタ（６１）は開口状態となっている。この状態では、中央流路（５７）における再生熱交換器（１０２）の右側部分と右下流路（５４）とが、右側シャッタ（６１）を介して連通される。
【００７６】
ケーシング（１０）に取り込まれた第１空気は、室外側下部流路（４２）から第１左下開口（２６）を通って左下流路（５６）へ流入する。一方、ケーシング（１０）に取り込まれた第２空気は、室内側下部流路（４７）から第２左側開口（３２）を通って左側流路（５２）へ流入する。
【００７７】
図６（ｂ）にも示すように、左下流路（５６）の第１空気は、第２吸着素子（８２）の調湿側通路（８５）へ流入する。この調湿側通路（８５）を流れる間に、第１空気に含まれる水蒸気が吸着剤に吸着される。第２吸着素子（８２）で減湿された第１空気は、左上流路（５５）へ流入する。
【００７８】
一方、左側流路（５２）の第２空気は、第２吸着素子（８２）の冷却側通路（８６）へ流入する。この冷却側通路（８６）を流れる間に、第２空気は、調湿側通路（８５）で水蒸気が吸着剤に吸着される際に生じた吸着熱を吸熱する。つまり、第２空気は、冷却用流体として冷却側通路（８６）を流れる。吸着熱を奪った第２空気は、中央流路（５７）へ流入して再生熱交換器（１０２）を通過する。その際、再生熱交換器（１０２）では、第２空気が冷媒との熱交換によって加熱される。その後、第２空気は、中央流路（５７）から右下流路（５４）へ流入する。
【００７９】
第２吸着素子（８２）及び再生熱交換器（１０２）で加熱された第２空気は、第１吸着素子（８１）の調湿側通路（８５）へ導入される。この調湿側通路（８５）では、第２空気によって吸着剤が加熱され、吸着剤から水蒸気が脱離する。つまり、第１吸着素子（８１）の再生が行われる。吸着剤から脱離した水蒸気は、第２空気と共に右上流路（５３）へ流入する。
【００８０】
図３に示すように、左上流路（５５）へ流入した減湿後の第１空気は、第２左上開口（３５）を通って室内側上部流路（４６）へ送り込まれる。この第１空気は、室内側上部流路（４６）を流れる間に第１熱交換器（１０３）を通過し、冷媒との熱交換によって冷却される。その後、減湿されて冷却された第１空気は、室内側吹出口（１４）を通って室内へ供給される。
【００８１】
一方、右上流路（５３）へ流入した第２空気は、第１右上開口（２３）を通って室外側上部流路（４１）へ流入する。この第２空気は、室外側上部流路（４１）を流れる間に第２熱交換器（１０４）を通過する。その際、第２熱交換器（１０４）は休止しており、第２空気は加熱も冷却もされない。そして、第２吸着素子（８２）の冷却と第１吸着素子（８１）の再生に利用された第２空気は、室外側吹出口（１６）を通って室外へ排出される。
【００８２】
−換気加湿運転−
図４及び図５に示すように、換気加湿運転時において、給気ファン（９５）を駆動すると、室外空気が室外側吸込口（１３）を通じてケーシング（１０）内に取り込まれる。この室外空気は、第２空気として室外側下部流路（４２）へ流入する。一方、排気ファン（９６）を駆動すると、室内空気が室内側吸込口（１５）を通じてケーシング（１０）内に取り込まれる。この室内空気は、第１空気として室内側下部流路（４７）へ流入する。
【００８３】
また、換気加湿運転時において、冷媒回路（１００）では、再生熱交換器（１０２）が凝縮器となり、第２熱交換器（１０４）が蒸発器となる一方、第１熱交換器（１０３）が休止している。この冷媒回路（１００）の動作については後述する。
【００８４】
換気加湿運転の第１動作について、図４及び図６を参照しながら説明する。この第１動作では、第１吸着素子（８１）についての吸着動作と、第２吸着素子（８２）についての再生動作とが行われる。つまり、第１動作では、第２吸着素子（８２）で空気が加湿され、第１吸着素子（８１）の吸着剤が水蒸気を吸着する。
【００８５】
図４に示すように、第１仕切板（２０）では、第１右側開口（２１）と第１右上開口（２３）とが連通状態となり、残りの開口（２２，２４，２５，２６）が遮断状態となっている。この状態では、第１右側開口（２１）によって室外側下部流路（４２）と右側流路（５１）とが連通され、第１右上開口（２３）によって右上流路（５３）と室外側上部流路（４１）とが連通される。
【００８６】
第２仕切板（３０）では、第２右下開口（３４）と第２左上開口（３５）とが連通状態となり、残りの開口（３１，３２，３３，３６）が遮断状態となっている。この状態では、第２右下開口（３４）によって室内側下部流路（４７）と右下流路（５４）とが連通され、第２左上開口（３５）によって左上流路（５５）と室内側上部流路（４６）とが連通される。
【００８７】
右側シャッタ（６１）は閉鎖状態となり、左側シャッタ（６２）は開口状態となっている。この状態では、中央流路（５７）における再生熱交換器（１０２）の左側部分と左下流路（５６）とが、左側シャッタ（６２）を介して連通される。
【００８８】
ケーシング（１０）に取り込まれた第１空気は、室内側下部流路（４７）から第２右下開口（３４）を通って右下流路（５４）へ流入する。一方、ケーシング（１０）に取り込まれた第２空気は、室外側下部流路（４２）から第１右側開口（２１）を通って右側流路（５１）へ流入する。
【００８９】
図６（ａ）にも示すように、右下流路（５４）の第１空気は、第１吸着素子（８１）の調湿側通路（８５）へ流入する。この調湿側通路（８５）を流れる間に、第１空気に含まれる水蒸気が吸着剤に吸着される。第１吸着素子（８１）で水分を奪われた第１空気は、右上流路（５３）へ流入する。
【００９０】
一方、右側流路（５１）の第２空気は、第１吸着素子（８１）の冷却側通路（８６）へ流入する。この冷却側通路（８６）を流れる間に、第２空気は、調湿側通路（８５）で水蒸気が吸着剤に吸着される際に生じた吸着熱を吸熱する。つまり、第２空気は、冷却用流体として冷却側通路（８６）を流れる。吸着熱を奪った第２空気は、中央流路（５７）へ流入して再生熱交換器（１０２）を通過する。その際、再生熱交換器（１０２）では、第２空気が冷媒との熱交換によって加熱される。その後、第２空気は、中央流路（５７）から左下流路（５６）へ流入する。
【００９１】
第１吸着素子（８１）及び再生熱交換器（１０２）で加熱された第２空気は、第２吸着素子（８２）の調湿側通路（８５）へ導入される。この調湿側通路（８５）では、第２空気によって吸着剤が加熱され、吸着剤から水蒸気が脱離する。つまり、第２吸着素子（８２）の再生が行われる。そして、吸着剤から脱離した水蒸気が第２空気に付与され、第２空気が加湿される。第２吸着素子（８２）で加湿された第２空気は、その後に左上流路（５５）へ流入する。
【００９２】
図４に示すように、左上流路（５５）へ流入した第２空気は、第２左上開口（３５）を通って室内側上部流路（４６）へ流入する。この第２空気は、室内側上部流路（４６）を流れる間に第１熱交換器（１０３）を通過する。その際、第１熱交換器（１０３）は休止しており、第２空気は加熱も冷却もされない。そして、加湿された第２空気は、室内側吹出口（１４）を通って室内へ供給される。
【００９３】
一方、右上流路（５３）へ流入した第１空気は、第１右上開口（２３）を通って室外側上部流路（４１）へ送り込まれる。この第１空気は、室外側上部流路（４１）を流れる間に第２熱交換器（１０４）を通過し、冷媒との熱交換によって冷却される。その後、水分と熱を奪われた第１空気は、室外側吹出口（１６）を通って室外へ排出される。
【００９４】
換気加湿運転の第２動作について、図５及び図６を参照しながら説明する。この第２動作では、第１動作時とは逆に、第２吸着素子（８２）についての吸着動作と、第１吸着素子（８１）についての再生動作とが行われる。つまり、この第２動作では、第１吸着素子（８１）で空気が加湿され、第２吸着素子（８２）の吸着剤が水蒸気を吸着する。
【００９５】
図５に示すように、第１仕切板（２０）では、第１左側開口（２２）と第１左上開口（２５）とが連通状態となり、残りの開口（２１，２３，２４，２６）が遮断状態となっている。この状態では、第１左側開口（２２）によって室外側下部流路（４２）と左側流路（５２）とが連通され、第１左上開口（２５）によって左上流路（５５）と室外側上部流路（４１）とが連通される。
【００９６】
第２仕切板（３０）では、第２右上開口（３３）と第２左下開口（３６）とが連通状態となり、残りの開口（３１，３２，３４，３５）が遮断状態となっている。この状態では、第２右上開口（３３）によって右上流路（５３）と室内側上部流路（４６）とが連通され、第２左下開口（３６）によって室内側下部流路（４７）と左下流路（５６）とが連通される。
【００９７】
左側シャッタ（６２）は閉鎖状態となり、右側シャッタ（６１）は開口状態となっている。この状態では、中央流路（５７）における再生熱交換器（１０２）の右側部分と右下流路（５４）とが、右側シャッタ（６１）を介して連通される。
【００９８】
ケーシング（１０）に取り込まれた第１空気は、室内側下部流路（４７）から第２左下開口（３６）を通って左下流路（５６）へ流入する。一方、ケーシング（１０）に取り込まれた第２空気は、室外側下部流路（４２）から第１左側開口（２２）を通って左側流路（５２）へ流入する。
【００９９】
図６（ｂ）にも示すように、左下流路（５６）の第１空気は、第２吸着素子（８２）の調湿側通路（８５）へ流入する。この調湿側通路（８５）を流れる間に、第１空気に含まれる水蒸気が吸着剤に吸着される。第２吸着素子（８２）で水分を奪われた第１空気は、左上流路（５５）へ流入する。
【０１００】
一方、左側流路（５２）の第２空気は、第２吸着素子（８２）の冷却側通路（８６）へ流入する。この冷却側通路（８６）を流れる間に、第２空気は、調湿側通路（８５）で水蒸気が吸着剤に吸着される際に生じた吸着熱を吸熱する。つまり、第２空気は、冷却用流体として冷却側通路（８６）を流れる。吸着熱を奪った第２空気は、中央流路（５７）へ流入して再生熱交換器（１０２）を通過する。その際、再生熱交換器（１０２）では、第２空気が冷媒との熱交換によって加熱される。その後、第２空気は、中央流路（５７）から右下流路（５４）へ流入する。
【０１０１】
第２吸着素子（８２）及び再生熱交換器（１０２）で加熱された第２空気は、第１吸着素子（８１）の調湿側通路（８５）へ導入される。この調湿側通路（８５）では、第２空気によって吸着剤が加熱され、吸着剤から水蒸気が脱離する。つまり、第１吸着素子（８１）の再生が行われる。そして、吸着剤から脱離した水蒸気が第２空気に付与され、第２空気が加湿される。第１吸着素子（８１）で加湿された第２空気は、その後に右上流路（５３）へ流入する。
【０１０２】
図５に示すように、右上流路（５３）へ流入した第２空気は、第２右上開口（３３）を通って室内側上部流路（４６）へ流入する。この第２空気は、室内側上部流路（４６）を流れる間に第１熱交換器（１０３）を通過する。その際、第１熱交換器（１０３）は休止しており、第２空気は加熱も冷却もされない。そして、加湿された第２空気は、室内側吹出口（１４）を通って室内へ供給される。
【０１０３】
一方、左上流路（５５）へ流入した第１空気は、第１左上開口（２５）を通って室外側上部流路（４１）へ送り込まれる。この第１空気は、室外側上部流路（４１）を流れる間に第２熱交換器（１０４）を通過し、冷媒との熱交換によって冷却される。その後、水分と熱を奪われた第１空気は、室外側吹出口（１６）を通って室外へ排出される。
【０１０４】
−循環除湿運転−
図７及び図８に示すように、循環除湿運転時において、給気ファン（９５）を駆動すると、室内空気が室内側吸込口（１５）を通じてケーシング（１０）内に取り込まれる。この室内空気は、第１空気として室内側下部流路（４７）へ流入する。一方、排気ファン（９６）を駆動すると、室外空気が室外側吸込口（１３）を通じてケーシング（１０）内に取り込まれる。この室外空気は、第２空気として室外側下部流路（４２）へ流入する。
【０１０５】
循環除湿運転の第１動作について、図６及び図７を参照しながら説明する。この第１動作では、第１吸着素子（８１）についての吸着動作と、第２吸着素子（８２）についての再生動作とが行われる。つまり、第１動作では、第１吸着素子（８１）で空気が減湿されると同時に、第２吸着素子（８２）の吸着剤が再生される。
【０１０６】
図７に示すように、第１仕切板（２０）では、第１右側開口（２１）と第１左上開口（２５）とが連通状態となり、残りの開口（２２，２３，２４，２６）が遮断状態となっている。この状態では、第１右側開口（２１）によって室外側下部流路（４２）と右側流路（５１）とが連通され、第１左上開口（２５）によって左上流路（５５）と室外側上部流路（４１）とが連通される。
【０１０７】
第２仕切板（３０）では、第２右上開口（３３）と第２右下開口（３４）とが連通状態となり、残りの開口（３１，３２，３５，３６）が遮断状態となっている。この状態では、第２右上開口（３３）によって右上流路（５３）と室内側上部流路（４６）とが連通され、第２右下開口（３４）によって室内側下部流路（４７）と右下流路（５４）とが連通される。
【０１０８】
右側シャッタ（６１）は閉鎖状態となり、左側シャッタ（６２）は開口状態となっている。この状態では、中央流路（５７）における再生熱交換器（１０２）の左側部分と左下流路（５６）とが、左側シャッタ（６２）を介して連通される。
【０１０９】
ケーシング（１０）に取り込まれた第１空気は、室内側下部流路（４７）から第２右下開口（３４）を通って右下流路（５４）へ流入する。一方、ケーシング（１０）に取り込まれた第２空気は、室外側下部流路（４２）から第１右側開口（２１）を通って右側流路（５１）へ流入する。
【０１１０】
図６（ａ）にも示すように、右下流路（５４）の第１空気は、第１吸着素子（８１）の調湿側通路（８５）へ流入する。この調湿側通路（８５）を流れる間に、第１空気に含まれる水蒸気が吸着剤に吸着される。第１吸着素子（８１）で減湿された第１空気は、右上流路（５３）へ流入する。
【０１１１】
一方、右側流路（５１）の第２空気は、第１吸着素子（８１）の冷却側通路（８６）へ流入する。この冷却側通路（８６）を流れる間に、第２空気は、調湿側通路（８５）で水蒸気が吸着剤に吸着される際に生じた吸着熱を吸熱する。つまり、第２空気は、冷却用流体として冷却側通路（８６）を流れる。吸着熱を奪った第２空気は、中央流路（５７）へ流入して再生熱交換器（１０２）を通過する。その際、再生熱交換器（１０２）では、第２空気が冷媒との熱交換によって加熱される。その後、第２空気は、中央流路（５７）から左下流路（５６）へ流入する。
【０１１２】
第１吸着素子（８１）及び再生熱交換器（１０２）で加熱された第２空気は、第２吸着素子（８２）の調湿側通路（８５）へ導入される。この調湿側通路（８５）では、第２空気によって吸着剤が加熱され、吸着剤から水蒸気が脱離する。つまり、第２吸着素子（８２）の再生が行われる。吸着剤から脱離した水蒸気は、第２空気と共に左上流路（５５）へ流入する。
【０１１３】
図７に示すように、右上流路（５３）へ流入した減湿後の第１空気は、第２右上開口（３３）を通って室内側上部流路（４６）へ送り込まれる。この第１空気は、室内側上部流路（４６）を流れる間に第１熱交換器（１０３）を通過し、冷媒との熱交換によって冷却される。その後、減湿されて冷却された第１空気は、室内側吹出口（１４）を通って室内へ供給される。
【０１１４】
一方、左上流路（５５）へ流入した第２空気は、第１左上開口（２５）を通って室外側上部流路（４１）へ流入する。この第２空気は、室外側上部流路（４１）を流れる間に第２熱交換器（１０４）を通過する。その際、第２熱交換器（１０４）は休止しており、第２空気は加熱も冷却もされない。そして、第１吸着素子（８１）の冷却と第２吸着素子（８２）の再生に利用された第２空気は、室外側吹出口（１６）を通って室外へ排出される。
【０１１５】
循環除湿運転の第２動作について、図６及び図８を参照しながら説明する。この第２動作では、第１動作時とは逆に、第２吸着素子（８２）についての吸着動作と、第１吸着素子（８１）についての再生動作とが行われる。つまり、第２動作では、第２吸着素子（８２）で空気が減湿されると同時に、第１吸着素子（８１）の吸着剤が再生される。
【０１１６】
図８に示すように、第１仕切板（２０）では、第１左側開口（２２）と第１右上開口（２３）とが連通状態となり、残りの開口（２１，２４，２５，２６）が遮断状態となっている。この状態では、第１左側開口（２２）によって室外側下部流路（４２）と左側流路（５２）とが連通され、第１右上開口（２３）によって右上流路（５３）と室外側上部流路（４１）とが連通される。
【０１１７】
第２仕切板（３０）では、第２左上開口（３５）と第２左下開口（３６）とが連通状態となり、残りの開口（３１，３２，３３，３４）が遮断状態となっている。この状態では、第２左上開口（３５）によって左上流路（５５）と室内側上部流路（４６）とが連通され、第２左下開口（３６）によって室内側下部流路（４７）と左下流路（５６）とが連通される。
【０１１８】
左側シャッタ（６２）は閉鎖状態となり、右側シャッタ（６１）は開口状態となっている。この状態では、中央流路（５７）における再生熱交換器（１０２）の右側部分と右下流路（５４）とが、右側シャッタ（６１）を介して連通される。
【０１１９】
ケーシング（１０）に取り込まれた第１空気は、室内側下部流路（４７）から第２左下開口（３６）を通って左下流路（５６）へ流入する。一方、ケーシング（１０）に取り込まれた第２空気は、室外側下部流路（４２）から第１左側開口（２２）を通って左側流路（５２）へ流入する。
【０１２０】
図６（ｂ）にも示すように、左下流路（５６）の第１空気は、第２吸着素子（８２）の調湿側通路（８５）へ流入する。この調湿側通路（８５）を流れる間に、第１空気に含まれる水蒸気が吸着剤に吸着される。第２吸着素子（８２）で減湿された第１空気は、左上流路（５５）へ流入する。
【０１２１】
一方、左側流路（５２）の第２空気は、第２吸着素子（８２）の冷却側通路（８６）へ流入する。この冷却側通路（８６）を流れる間に、第２空気は、調湿側通路（８５）で水蒸気が吸着剤に吸着される際に生じた吸着熱を吸熱する。つまり、第２空気は、冷却用流体として冷却側通路（８６）を流れる。吸着熱を奪った第２空気は、中央流路（５７）へ流入して再生熱交換器（１０２）を通過する。その際、再生熱交換器（１０２）では、第２空気が冷媒との熱交換によって加熱される。その後、第２空気は、中央流路（５７）から右下流路（５４）へ流入する。
【０１２２】
第２吸着素子（８２）及び再生熱交換器（１０２）で加熱された第２空気は、第１吸着素子（８１）の調湿側通路（８５）へ導入される。この調湿側通路（８５）では、第２空気によって吸着剤が加熱され、吸着剤から水蒸気が脱離する。つまり、第１吸着素子（８１）の再生が行われる。吸着剤から脱離した水蒸気は、第２空気と共に右上流路（５３）へ流入する。
【０１２３】
図１０に示すように、左上流路（５５）へ流入した減湿後の第１空気は、第２左上開口（３５）を通って室内側上部流路（４６）へ送り込まれる。この第１空気は、室内側上部流路（４６）を流れる間に第１熱交換器（１０３）を通過し、冷媒との熱交換によって冷却される。その後、減湿されて冷却された第１空気は、室内側吹出口（１４）を通って室内へ供給される。
【０１２４】
一方、右上流路（５３）へ流入した第２空気は、第１右上開口（２３）を通って室外側上部流路（４１）へ流入する。この第２空気は、室外側上部流路（４１）を流れる間に第２熱交換器（１０４）を通過する。その際、第２熱交換器（１０４）は休止しており、第２空気は加熱も冷却もされない。そして、第２吸着素子（８２）の冷却と第１吸着素子（８１）の再生に利用された第２空気は、室外側吹出口（１６）を通って室外へ排出される。
【０１２５】
−循環加湿運転−
図９及び図１０に示すように、循環加湿運転時において、給気ファン（９５）を駆動すると、室内空気が室内側吸込口（１５）を通じてケーシング（１０）内に取り込まれる。この室内空気は、第２空気として室内側下部流路（４７）へ流入する。一方、排気ファン（９６）を駆動すると、室外空気が室外側吸込口（１３）を通じてケーシング（１０）内に取り込まれる。この室外空気は、第１空気として室外側下部流路（４２）へ流入する。
【０１２６】
循環加湿運転の第１動作について、図６及び図９を参照しながら説明する。この第１動作では、第１吸着素子（８１）についての吸着動作と、第２吸着素子（８２）についての再生動作とが行われる。つまり、第１動作では、第２吸着素子（８２）で空気が加湿され、第１吸着素子（８１）の吸着剤が水蒸気を吸着する。
【０１２７】
図９に示すように、第１仕切板（２０）では、第１右上開口（２３）と第１右下開口（２４）とが連通状態となり、残りの開口（２１，２２，２５，２６）が遮断状態となっている。この状態では、第１右上開口（２３）によって右上流路（５３）と室外側上部流路（４１）とが連通され、第１右下開口（２４）によって室外側下部流路（４２）と右下流路（５４）とが連通される。
【０１２８】
第２仕切板（３０）では、第２右側開口（３１）と第２左上開口（３５）とが連通状態となり、残りの開口（３２，３３，３４，３６）が遮断状態となっている。この状態では、第２右側開口（３１）によって室内側下部流路（４７）と右側流路（５１）とが連通され、第２左上開口（３５）によって左上流路（５５）と室内側上部流路（４６）とが連通される。
【０１２９】
右側シャッタ（６１）は閉鎖状態となり、左側シャッタ（６２）は開口状態となっている。この状態では、中央流路（５７）における再生熱交換器（１０２）の左側部分と左下流路（５６）とが、左側シャッタ（６２）を介して連通される。
【０１３０】
ケーシング（１０）に取り込まれた第１空気は、室外側下部流路（４２）から第１右下開口（２４）を通って右下流路（５４）へ流入する。一方、ケーシング（１０）に取り込まれた第２空気は、室内側下部流路（４７）から第２右側開口（３１）を通って右側流路（５１）へ流入する。
【０１３１】
図６（ａ）にも示すように、右下流路（５４）の第１空気は、第１吸着素子（８１）の調湿側通路（８５）へ流入する。この調湿側通路（８５）を流れる間に、第１空気に含まれる水蒸気が吸着剤に吸着される。第１吸着素子（８１）で水分を奪われた第１空気は、右上流路（５３）へ流入する。
【０１３２】
一方、右側流路（５１）の第２空気は、第１吸着素子（８１）の冷却側通路（８６）へ流入する。この冷却側通路（８６）を流れる間に、第２空気は、調湿側通路（８５）で水蒸気が吸着剤に吸着される際に生じた吸着熱を吸熱する。つまり、第２空気は、冷却用流体として冷却側通路（８６）を流れる。吸着熱を奪った第２空気は、中央流路（５７）へ流入して再生熱交換器（１０２）を通過する。その際、再生熱交換器（１０２）では、第２空気が冷媒との熱交換によって加熱される。その後、第２空気は、中央流路（５７）から左下流路（５６）へ流入する。
【０１３３】
第１吸着素子（８１）及び再生熱交換器（１０２）で加熱された第２空気は、第２吸着素子（８２）の調湿側通路（８５）へ導入される。この調湿側通路（８５）では、第２空気によって吸着剤が加熱され、吸着剤から水蒸気が脱離する。つまり、第２吸着素子（８２）の再生が行われる。そして、吸着剤から脱離した水蒸気が第２空気に付与され、第２空気が加湿される。第２吸着素子（８２）で加湿された第２空気は、その後に左上流路（５５）へ流入する。
【０１３４】
図９に示すように、左上流路（５５）へ流入した第２空気は、第２左上開口（３５）を通って室内側上部流路（４６）へ流入する。この第２空気は、室内側上部流路（４６）を流れる間に第１熱交換器（１０３）を通過する。その際、第１熱交換器（１０３）は休止しており、第２空気は加熱も冷却もされない。そして、加湿された第２空気は、室内側吹出口（１４）を通って室内へ供給される。
【０１３５】
一方、右上流路（５３）へ流入した第１空気は、第１右上開口（２３）を通って室外側上部流路（４１）へ送り込まれる。この第１空気は、室外側上部流路（４１）を流れる間に第２熱交換器（１０４）を通過し、冷媒との熱交換によって冷却される。その後、水分と熱を奪われた第１空気は、室外側吹出口（１６）を通って室外へ排出される。
【０１３６】
循環加湿運転の第２動作について、図６及び図１０を参照しながら説明する。この第２動作では、第１動作時とは逆に、第２吸着素子（８２）についての吸着動作と、第１吸着素子（８１）についての再生動作とが行われる。つまり、この第２動作では、第１吸着素子（８１）で空気が加湿され、第２吸着素子（８２）の吸着剤が水蒸気を吸着する。
【０１３７】
図１０に示すように、第１仕切板（２０）では、第１左上開口（２５）と第１左下開口（２６）とが連通状態となり、残りの開口（２１，２２，２３，２４）が遮断状態となっている。この状態では、第１左上開口（２５）によって左上流路（５５）と室外側上部流路（４１）とが連通され、第１左下開口（２６）によって室外側下部流路（４２）と左下流路（５６）とが連通される。
【０１３８】
第２仕切板（３０）では、第２左側開口（３２）と第２右上開口（３３）とが連通状態となり、残りの開口（３１，３４，３５，３６）が遮断状態となっている。この状態では、第２左側開口（３２）によって室内側下部流路（４７）と左側流路（５２）とが連通され、第２右上開口（３３）によって右上流路（５３）と室内側上部流路（４６）とが連通される。
【０１３９】
左側シャッタ（６２）は閉鎖状態となり、右側シャッタ（６１）は開口状態となっている。この状態では、中央流路（５７）における再生熱交換器（１０２）の右側部分と右下流路（５４）とが、右側シャッタ（６１）を介して連通される。
【０１４０】
ケーシング（１０）に取り込まれた第１空気は、室外側下部流路（４２）から第１左下開口（２６）を通って左下流路（５６）へ流入する。一方、ケーシング（１０）に取り込まれた第２空気は、室内側下部流路（４７）から第２左側開口（３２）を通って左側流路（５２）へ流入する。
【０１４１】
図６（ｂ）にも示すように、左下流路（５６）の第１空気は、第２吸着素子（８２）の調湿側通路（８５）へ流入する。この調湿側通路（８５）を流れる間に、第１空気に含まれる水蒸気が吸着剤に吸着される。第２吸着素子（８２）で水分を奪われた第１空気は、左上流路（５５）へ流入する。
【０１４２】
一方、左側流路（５２）の第２空気は、第２吸着素子（８２）の冷却側通路（８６）へ流入する。この冷却側通路（８６）を流れる間に、第２空気は、調湿側通路（８５）で水蒸気が吸着剤に吸着される際に生じた吸着熱を吸熱する。つまり、第２空気は、冷却用流体として冷却側通路（８６）を流れる。吸着熱を奪った第２空気は、中央流路（５７）へ流入して再生熱交換器（１０２）を通過する。その際、再生熱交換器（１０２）では、第２空気が冷媒との熱交換によって加熱される。その後、第２空気は、中央流路（５７）から右下流路（５４）へ流入する。
【０１４３】
第２吸着素子（８２）及び再生熱交換器（１０２）で加熱された第２空気は、第１吸着素子（８１）の調湿側通路（８５）へ導入される。この調湿側通路（８５）では、第２空気によって吸着剤が加熱され、吸着剤から水蒸気が脱離する。つまり、第１吸着素子（８１）の再生が行われる。そして、吸着剤から脱離した水蒸気が第２空気に付与され、第２空気が加湿される。第１吸着素子（８１）で加湿された第２空気は、その後に右上流路（５３）へ流入する。
【０１４４】
図１０に示すように、右上流路（５３）へ流入した第２空気は、第２右上開口（３３）を通って室内側上部流路（４６）へ流入する。この第２空気は、室内側上部流路（４６）を流れる間に第１熱交換器（１０３）を通過する。その際、第１熱交換器（１０３）は休止しており、第２空気は加熱も冷却もされない。そして、加湿された第２空気は、室内側吹出口（１４）を通って室内へ供給される。
【０１４５】
一方、左上流路（５５）へ流入した第１空気は、第１左上開口（２５）を通って室外側上部流路（４１）へ送り込まれる。この第１空気は、室外側上部流路（４１）を流れる間に第２熱交換器（１０４）を通過し、冷媒との熱交換によって冷却される。その後、水分と熱を奪われた第１空気は、室外側吹出口（１６）を通って室外へ排出される。
【０１４６】
〈運転制御の構成〉
次に、本発明の特徴とする加湿運転等を制御する制御手段であるコントローラ（２００）について説明する。
【０１４７】
上記コントローラ（２００）は、図１に示すように、情報入手手段である情報入手部（２２０）と運転制御手段である運転制御部（２１０）とを備え、各種の運転を制御するように構成されている。
【０１４８】
上記情報入手部（２２０）は、除湿及び加湿などの空調を行う対象空間である室内に関する環境条件の情報を取り込み、該情報を出力するように構成されている。具体的に、上記情報入手部（２２０）は、室内温湿度検出手段である室内温湿度センサー（２２２）と室外温湿度検出手段である室外温湿度センサー（２２３）とを備えると共に、天気情報手段である天気情報部（２２１）を備えている。
【０１４９】
上記室内温湿度センサー（２２２）は、空調を行う室内の室内温度及び室内湿度を検出し、室内温度情報及び室内湿度情報を出力するように構成されている。該室外温湿度センサー（２２３）は、室外の室外温度及び室外湿度を検出し、室外温度情報及び室外湿度情報を出力するように構成されている。
【０１５０】
上記天気情報部（２２１）は、インターネットなどの通信網から室外の天気予報の情報を取り込み、天気情報を出力するように構成されている。
【０１５１】
上記運転制御部（２１０）は、情報入手部（２２０）が取り込んだ室内に関する環境条件の情報に対応して加湿運転などの運転スケジュールを決定し、該運転スケジュールに従って加湿等の運転を制御するように構成されている。具体的に、上記運転制御部（２１０）は、事前運転手段である事前運転部（２１１）と実運転手段である実運転部（２１２）とを備えている。
【０１５２】
上記事前運転部（２１１）は、情報入手部（２２０）と室内温度情報及び室内湿度情報と室外温度情報及び室外湿度情報と天気情報とに基づいて運転スケジュールを決定する。
【０１５３】
つまり、上記調湿装置は、室外空気の水分を取り込んで室内を加湿する無給水加湿を行うように構成されている。したがって、上記調湿装置においては、加湿運転を行った後、所定の室内湿度になるまでに所定の時間を要する。
【０１５４】
そこで、上記事前運転部（２１１）は、室内の用途に合わせ、室内の稼働前から加湿運転を行うように構成されている。例えば、事務所などの朝の出勤時刻の所定時間前から事前運転部（２１１）が加湿運転を行う。
【０１５５】
具体的に、上記事前運転部（２１１）は、明日の天気情報と現在の室内温度情報及び室内湿度情報と室外温度情報及び室外湿度情報とに基づき、換気加湿運転を行うか、又は循環加湿運転を行うかの加湿運転モードを決定すると共に、加湿運転時間とを決定する。
【０１５６】
また、上記事前運転部（２１１）は、加湿運転時の風量を決定する。例えば、上記換気加湿運転を行う場合、室内から室外に排気する室内空気の排気量と室外から室内に供給する室外空気の給気量とを等しくするか、又は給気量を排気量より大きくするかを決定する。また、上記循環加湿運転を行う場合、室内空気の循環量と室外空気の循環量とを等しくするか、又は室外空気の循環量を室内空気の循環量より大きくするかを決定する。
【０１５７】
また、上記事前運転部（２１１）は、一晩中加湿運転を継続するようにしてもよく、その際、例えば、循環加湿運転と換気加湿運転とを切り換えて行うようにしてもよい。
【０１５８】
また、上記事前運転部（２１１）は、予め定められた室内の稼働直前の運転状態が換気加湿運転になるように切換える自動モード運転を行うように構成されている。つまり、循環加湿運転を行っている場合、室内の稼働直前に換気加湿運転に切換える。
【０１５９】
上記実運転部（２１２）は、室内が稼働すると、ユーザの望む加湿運転の継続又は停止を制御して定常運転を行うように構成されている。
【０１６０】
〈運転制御の作用〉
次に、上述した調湿装置のスケジュール運転の制御動作について説明する。
【０１６１】
先ず、例えば、事務所などにおいて、一日の作業を終了すると、ユーザによって調湿装置の運転が停止される。その後、上記調湿装置のコントローラ（２００）において、情報入手部（２２０）の室内温湿度センサー（２２２）は、室内温度及び室内湿度を検出し、室内温度情報及び室内湿度情報を出力し、室外温湿度センサー（２２３）は、室外温度及び室外湿度を検出し、室外温度情報及び室外湿度情報を出力する。更に、天気情報部（２２１）は、インターネットなどの通信網から天気予報の情報を取り込み、天気情報を出力する。
【０１６２】
続いて、運転制御部（２１０）において、事前運転部（２１１）が情報入手部（２２０）の室内温度情報及び室内湿度情報と、室外温度情報及び室外湿度情報と、天気情報とを取り込み、加湿運転モードを決定すると共に、加湿運転時間を決定し、決定した運転スケジュールに従って加湿運転を行う。
【０１６３】
例えば、事前運転部（２１１）は、明日の天気情報と現在の室内温度情報及び室内湿度情報と室外温度情報及び室外湿度情報とに基づき、換気加湿運転を出勤時刻の数時間前から行うことを決定する。そして、所定の時刻になると、上記事前運転部（２１１）は、換気加湿運転を開始する。その際、上記事前運転部（２１１）は、風量を決定する。例えば、換気加湿運転時において、室内からの排気量と室外から給気量とを等しくする。又は給気量を排気量より大きくする。
【０１６４】
その後、所定の時刻になると、上記事前運転部（２１１）の換気加湿の運転を停止し、実運転部（２１２）が室内の稼働後の定常運転状態に制御し、ユーザの望む加湿運転の継続又は停止を行う。
【０１６５】
また、上記事前運転部（２１１）は、明日の天気情報と現在の室内温度情報及び室内湿度情報と室外温度情報及び室外湿度情報とに基づき、循環加湿運転を出勤時刻の数時間前から行うことを決定してもよい。この場合においても、所定の時刻になると、上記事前運転部（２１１）は、循環加湿運転を開始し、その際、上記事前運転部（２１１）は、風量を決定する。例えば、循環加湿運転時において、室内空気の循環量量と室外空気の循環量とを等しくする。又は室外空気の循環量量を室内空気の循環量より大きくする。その後、所定の時刻になると、上記事前運転部（２１１）の循環加湿の運転を停止し、実運転部（２１２）が加湿運転を制御する。
【０１６６】
また、上記事前運転部（２１１）は、明日の天気情報と現在の室内温度情報及び室内湿度情報と室外温度情報及び室外湿度情報とに基づき、一晩中循環加湿運転又は換気加湿運転を行うことを決定してもよい。この場合において、循環加湿運転と換気加湿運転とを適宜切り換えて運転を行う。更に、この場合、換気加湿運転における排気量と給気量とを等しくするか、又は給気量を排気量より大きくしてもよく、循環加湿運転における内空気の循環量量と室外空気の循環量とを等しくするか、又は室外空気の循環量量を室内空気の循環量より大きくする。その後、所定の時刻になると、上記事前運転部（２１１）の循環加湿の運転を停止し、実運転部（２１２）が加湿運転を制御する。
【０１６７】
また、予め定められた室内の稼働直前になると、上記事前運転部（２１１）は、自動モード運転を行い、運転状態を換気加湿運転に切換える。つまり、循環加湿運転を行っている場合、室内の稼働直前に換気加湿運転に切換える。その後、所定の時刻になると、上記事前運転部（２１１）の循環加湿の運転を停止し、実運転部（２１２）が加湿運転を制御する。
【０１６８】
〈実施形態１の効果〉
以上のように、本実施形態によれば、加湿運転を環境条件の情報に対応して運転スケジュールを決定し、加湿運転を行うようにしたために、快適な空気環境を実現することができる。
【０１６９】
また、室内の稼働後に無駄な加湿運転を行う必要がないので、省エネルギ化を図ることができる。
【０１７０】
特に、室外空気から水分を取り込む無給水加湿を行う場合、室内の稼働時に確実に快適な環境を実現することができるので、快適性の向上を図ることができる。
【０１７１】
また、循環加湿運転を行う場合、室外空気が劣悪な場合、室内環境の悪化を確実に防止しつつ快適な空気環境を実現することができる。
【０１７２】
また、換気加湿運転を行う場合、室内空気の水分を迅速に取り込むことができるので、快適な空気環境を迅速に実現することができる。
【０１７３】
また、循環加湿運転と換気加湿運転とを切り換えて行う場合、室外空気の状態に応じた運転モードを設定することができるので、加湿運転の効率を向上させることができる。
【０１７４】
また、換気加湿運転時に風量を変更するようにすると、室内環境等に合わせた運転を実現することができる。
【０１７５】
また、循環加湿運転時に風量を変更するようにすると、室内環境等に合わせた運転を実現することができる。
【０１７６】
また、室内の稼働時の直前に自動モード運転を行うようにすると、室内の稼働時における空調運転の立ち上がり性能を向上させることができる。
【０１７７】
また、上記情報入手部（２２０）が天気情報を入手するので、確実に環境条件に合った運転を行うことができる。
【０１７８】
【発明の実施の形態２】
以下、本発明の実施形態２を図面に基づいて詳細に説明する。
【０１７９】
図１３に示すように、実施形態１の運転制御部（２１０）に更新部（２１３）を備えるようにしたものである。つまり、上記更新部（２１３）は、情報入手部（２２０）が時々刻々と現在の室内温度情報及び室内湿度情報と室外温度情報及び室外湿度情報とを取り込んでいるので、この情報を受け、室内温度情報及び室内湿度情報と室外温度情報及び室外湿度情報との変化に基づいて運転スケジュールを変更する更新手段を構成している。
【０１８０】
具体的に、例えば、現在の天気が晴れの状態から雨模様に変化した場合、室外空気から取り込むことができる水分が多くなるので、加湿運転時間、運転モード、又は風量を変更た新たな運転スケジュールに変更する。
【０１８１】
この結果、現在の環境条件に合致した加湿運転を行うことができるので、より確実に快適な空気状態を実現することができる。その他の構成、作用及び効果は、実施形態１と同様である。
【０１８２】
【発明の実施の形態３】
以下、本発明の実施形態３を図面に基づいて詳細に説明する。
【０１８３】
図１４に示すように、実施形態２の運転制御部（２１０）が切換部（２１４）を備えるようにしたものである。つまり、上記切換部（２１４）は、実運転部（２１２）が加湿運転を行っている状態において、この実運転部（２１２）の加湿運転の定常運転状態を切換える切換手段を構成されている。
【０１８４】
一方、情報入手部（２２０）は、電流センサなどの電力情報部（２２４）を備えている。この電力情報部（２２４）は、建物全体などの消費電力情報を検出して、消費電力情報を出力するように構成されている。
【０１８５】
上記切換部（２１４）は、情報入手部（２２０）が時々刻々と現在の室内温度情報及び室内湿度情報と室外温度情報及び室外湿度情報と消費電力情報とを取り込んでいるので、この情報を受け、室内温度情報及び室内湿度情報と室外温度情報及び室外湿度情報と消費電力情報との変化に基づいて定常運転状態の運転容量を変更するように構成されている。
【０１８６】
例えば、消費電力が上昇し、この消費電力を抑制する必要があると、電力消費が小さい運転に切換える。具体的に、加湿運転の風量を小さくし、ファンモータの消費電力を抑制する。また、再生熱交換器（１０２）の再生温度を変更し、圧縮機（１０１）の容量を抑制する。また、循環加湿運転と換気加湿運転とを切り換える。
【０１８７】
この結果、消費電力を抑制した加湿運転を行うことができるので、より確実に環境条件に適した運転を実現することができる。その他の構成、作用及び効果は、実施形態１と同様である。
【０１８８】
【発明の実施の形態４】
以下、本発明の実施形態４を図面に基づいて詳細に説明する。
【０１８９】
図１５に示すように、実施形態３の切換部（２１４）が、消費電力情報の他にＣＯ２情報と花粉情報とに基づいて定常運転状態を切換えるように構成されている。
【０１９０】
一方、情報入手部（２２０）は、ＣＯ２センサー（２２５）と花粉情報部（２２６）とを備えている。該ＣＯ２センサー（２２５）は、室内の二酸化炭素濃度を検出してＣＯ２情報を出力するＣＯ２検出手段を構成している。また、上記花粉情報部（２２６）は、インターネットなどの通信網より室外の花粉情報を取り込み、花粉情報を出力するように構成されている。
【０１９１】
そして、上記切換部（２１４）は、情報入手部（２２０）が時々刻々と現在の室内温度情報及び室内湿度情報と室外温度情報及び室外湿度情報と消費電力情報の他、ＣＯ２情報と花粉情報とを取り込んでいるので、この情報を受け、室内温度情報及び室内湿度情報と室外温度情報及び室外湿度情報と消費電力情報との変化の他、ＣＯ２情報と花粉情報とに基づいて運転モードの切り換え、又は風量の切換を行うように構成されている。
【０１９２】
つまり、上記切換部（２１４）は、例えば、ＣＯ２情報により、現在が循環加湿運転を行っている場合、換気加湿運転に切換えると共に、排気量を多くし且つ給気量を多くする。また、上記切換手段は、例えば、花粉情報により、花粉量が多くなると、現在が換気加湿運転を行っている場合、循環加湿運転に切換えるか、又は換気加湿運転のまま、排気量を少なくし且つ給気量を少なくする。要するに、上記切換部（２１４）は、許容最低湿度以上で最大ＣＯ２濃度以下に室内の環境を維持するように加湿運転を制御する。
【０１９３】
この結果、所定のＣＯ２濃度と花粉量に維持した加湿運転を行うことができるので、より確実に環境条件に適した運転を実現することができる。その他の構成、作用及び効果は、実施形態１と同様である。
【０１９４】
【発明の他の実施の形態】
上記各実施形態においては、実運転部（２１２）が加湿運転のみを制御するようにしたが、加湿運転の他に除湿運転も併せて制御するようにしてもよい。つまり、上記実運転部（２１２）は、環境条件の情報に対応して換気除湿運転と循環除湿運転とを制御するようにしてもよい。
【０１９５】
また、情報入手部（２２０）は、各温度情報、各湿度情報及び天気情報などを入手するようにしたが、これらに限られるものではなく、加湿運転に関する情報であればよい。
【０１９６】
また、上記調湿装置は、各実施形態に限定されるものではなく、加湿のみを行うものなどであってもよく、吸着素子（８１，８２）がロータ式であるものであってもよい。
【０１９７】
また、上記調湿装置の構造は、各実施形態に限定されるものではなく、例えば、再生熱交換器（１０２）を垂直に配置するのに代えて水平に配置するなど各種の構造に構成してもよいことは勿論である。
【０１９８】
また、本各実施形態は、冷媒回路（１００）に代えて、ガスエンジン、マイクロガスタービン又は燃料電池などの端末として排熱を利用する再生凝縮器（再生熱交換器）のみを有するシステムであってもよい。
【０１９９】
また、実施形態１の冷媒回路（１００）に代えて、図１６に示す冷媒回路（１００）に構成してもよい。この冷媒回路（１００）には、圧縮機（１０１）、再生熱交換器（１０２）、第１熱交換器（１０３）、第２熱交換器（１０４）、レシーバ（１０５）、第１電動膨張弁（１１１）、及び第２電動膨張弁（１１２）が設けられている。上記冷媒回路（１００）において、圧縮機（１０１）の吐出側は、再生熱交換器（１０２）の一端に接続されている。再生熱交換器（１０２）の他端は、レシーバ（１０５）を介して第１電動膨張弁（１１１）の一端と第２電動膨張弁（１１２）の一端とに接続されている。第１電動膨張弁（１１１）の他端は、第１熱交換器（１０３）の一端に接続されている。第２電動膨張弁（１１２）の他端は、第２熱交換器（１０４）の一端に接続されている。第１熱交換器（１０３）の他端と第２熱交換器（１０４）の他端とは、それぞれが圧縮機（１０１）の吸入側に接続されている。
【０２００】
この図１６の冷媒回路（１００）では、再生熱交換器（１０２）が凝縮器となり、第１熱交換器（１０３）と第２熱交換器（１０４）の両方が蒸発器となる運転が可能となる。
【０２０１】
つまり、上記実施形態１と異なり、除湿運転の第２動作において、第２熱交換器（１０４）において冷媒と第２空気との熱交換を行うことができる。また、加湿運転の第２動作において、第１熱交換器（１０３）において冷媒と第２空気との熱交換を行うことができる。
【０２０２】
したがって、この図１６の冷媒回路（１００）によれば、実施形態１の効果に加え、以下のような効果が発揮される。
【０２０３】
除湿運転時において、排気される第２空気から回収した熱を再生熱交換器（１０２）での第２空気の加熱に再利用できる。従って、この調湿装置によれば、排気される第２空気の内部エネルギを調湿装置の運転に有効利用できる。
【０２０４】
また、加湿運転時において、排気される第１空気から回収した熱を再生熱交換器（１０２）での第１空気の加熱に利用することができる。従って、この調湿装置によれば、排気される第１空気の内部エネルギを調湿装置の運転に有効利用できる。
【０２０５】
また、加湿運転の第２運転動作時において、第２空気を加湿し更に冷却してから室内へ供給することができる。従って、この調湿装置によれば、室内の温度を上げずに加湿だけを行いたい場合に適した運転が可能となる。
【０２０６】
また、加湿運転の第２運転動作では、第１熱交換器（１０３）と第２熱交換器（１０４）の両方が蒸発器として機能する。従って、上記第２熱交換器（１０４）だけが蒸発器となる第１運転に比べ、冷凍サイクルにおける冷媒の吸熱量を減少させることなく、第２熱交換器（１０４）での冷媒蒸発温度を高く設定できる。このため、第２熱交換器（１０４）における着霜を回避することも可能となり、デフロストによる加湿運転の中断を回避することにより、加湿能力の向上を図ることができる。
【０２０７】
【発明の効果】
したがって、本発明によれば、加湿運転を環境条件の情報に対応して運転スケジュールを決定し、加湿運転を行うようにしたために、快適な空気環境を実現することができる。
【０２０８】
また、室内の稼働後に無駄な加湿運転を行う必要がないので、省エネルギ化を図ることができる。
【０２０９】
特に、室外空気から水分を取り込む無給水加湿を行う場合、対象空間の稼働時に確実に快適な環境を実現することができるので、快適性の向上を図ることができる。
【０２１０】
また、請求項２及び４に係る発明によれば、換気加湿運転を行う場合、室内空気の水分を迅速に取り込むことができるので、快適な空気環境を迅速に実現することができる。
【０２１１】
また、請求項３及び４に係る発明によれば、循環加湿運転を行う場合、室外空気が劣悪な場合、室内環境の悪化を確実に防止しつつ快適な空気環境を実現することができる。
【０２１２】
また、請求項４に係る発明によれば、循環加湿運転と換気加湿運転とを切り換えて行う場合、室外空気の状態に応じた運転モードを設定することができるので、加湿運転の効率を向上させることができる。
【０２１３】
また、請求項５に係る発明によれば、換気加湿運転時に風量を変更するようにすると、室内環境等に合わせた運転を実現することができる。
【０２１４】
また、請求項６に係る発明によれば、循環加湿運転時に風量を変更するようにすると、室内環境等に合わせた運転を実現することができる。
【０２１５】
また、請求項７に係る発明によれば、室内の稼働時の直前に自動モード運転を行うようにすると、室内の稼働時における空調運転の立ち上がり性能を向上させることができる。
【０２１６】
また、請求項８に係る発明によれば、天気情報を入手するので、確実に環境条件に合った運転を行うことができる。
【０２１７】
また、請求項９に係る発明によれば、運転スケジュールを更新手段（２１３）で変更するようにしたので、現在の環境条件に合致した加湿運転を行うことができるので、より確実に快適な空気状態を実現することができる。
【０２１８】
また、請求項１０に係る発明によれば、ＣＯ２情報を入手するので、所定のＣＯ２濃度に維持した加湿運転を行うことができるので、より確実に環境条件に適した運転を実現することができる。
【０２１９】
また、請求項１１に係る発明によれば、花粉情報を入手するので、所定の花粉量に維持した加湿運転を行うことができるので、より確実に環境条件に適した運転を実現することができる。
【０２２０】
また、請求項１２に係る発明によれば、電力情報を入手するので、消費電力を抑制した加湿運転を行うことができるので、より確実に環境条件に適した運転を実現することができる。
【図面の簡単な説明】
【図１】本発明の実施形態１に係る調湿装置におけるコントローラを示すブロック図である。
【図２】調湿装置の構成及び換気除湿運転の第１動作を示す分解斜視図である。
【図３】調湿装置の換気除湿運転の第２動作を示す分解斜視図である。
【図４】調湿装置の換気加湿運転の第１動作を示す分解斜視図である。
【図５】調湿装置の換気加湿運転の第２動作を示す分解斜視図である。
【図６】調湿装置の要部を示す概略構成図である。
【図７】調湿装置の循環除湿運転の第１動作を示す分解斜視図である。
【図８】調湿装置の循環除湿運転の第２動作を示す分解斜視図である。
【図９】調湿装置の循環加湿運転の第１動作を示す分解斜視図である。
【図１０】調湿装置の循環加湿運転の第２動作を示す分解斜視図である。
【図１１】調湿装置の吸着素子を示す概略斜視図である。
【図１２】調湿装置の冷媒回路の構成を示す配管系統図である。
【図１３】本発明の実施形態２に係る調湿装置におけるコントローラを示すブロック図である。
【図１４】本発明の実施形態３に係る調湿装置におけるコントローラを示すブロック図である。
【図１５】本発明の実施形態４に係る調湿装置におけるコントローラを示すブロック図である。
【図１６】調湿装置における他の冷媒回路の構成を示す配管系統図である。
【符号の説明】
８１，８２　　　　吸着素子
２００　　　　　コントローラ
２１０　　　　　運転制御部（運転制御手段）
２１１　　　　　事前運転部
２１２　　　　　実運転部
２１３　　　　　更新部（更新手段）
２１４　　　　　切換部（切換手段）
２２０　　　　　情報入手部（情報入手手段）
２２１　　　　　天気情報部
２２２　　　　　室内温度センサー
２２３　　　　　室外温度センサー
２２４　　　　　電力情報部
２２５　　　　　ＣＯ２センサー
２２６　　　　　花粉情報部
【図１】
2004011926.tif 000003
【図２】
2004011926.tif 000004
【図３】
2004011926.tif 000005
【図４】
2004011926.tif 000006
【図５】
2004011926.tif 000007
【図６】
2004011926.tif 000008
【図７】
2004011926.tif 000009
【図８】
2004011926.tif 000010
【図９】
2004011926.tif 000011
【図１０】
2004011926.tif 000012
【図１１】
2004011926.tif 000013
【図１２】
2004011926.tif 000014
【図１３】
2004011926.tif 000015
【図１４】
2004011926.tif 000016
【図１５】
2004011926.tif 000017
【図１６】
2004011926.tif 000018